(57)【要約】【課題】風を当てた物体が局所的に冷え過ぎたり暖まり過ぎたりしない。【解決手段】送風機２３は、取り入れ口２１ａから熱交換器２２を通って、ケーシング２１の前部において上方へと向かう気流を発生させる。一方、送風機２４は、取り入れ口２１ａからケーシング２１の前部において下方へと向かう気流を発生させる。これらの気流は、ケーシング２１の内部において互いに衝突し、ケーシング２１の前面に形成された吹き出し口２１ｂを通じて、室内機２の前方へと吹き出される。【選択図】図２
2009270801.tif 000002
【特許請求の範囲】
【請求項１】
熱交換器及び送風機を収容し且つ吹き出し口を有するケーシングを備え、
前記ケーシングの内部には、前記送風機によって形成される気流が通過することで前記吹き出し口に到達する複数の通風路が設けられており、
前記複数の通風路をそれぞれ通過した複数の気流は、前記ケーシング内において衝突した後で前記吹き出し口から吹き出されることを特徴とする、室内機。
【請求項２】
前記複数の通風路の少なくとも１つの通風路上に、前記通風路を通過する気流の方向を規制する整流ガイドが配置されることを特徴とする、請求項１に記載の室内機。
【請求項３】
前記複数の通風路の少なくとも２つの通風路上に、互いに異なる送風機が配置されることを特徴とする、請求項１又は２に記載の室内機。
【請求項４】
前記複数の通風路の一部の通風路上だけに前記熱交換器が配置されることを特徴とする、請求項１〜３のいずれか１項に記載の室内機。
【請求項５】
前記ケーシングの内部には、４つの通風路が設けられており、
前記４つの通風路をそれぞれ通過した気流は、前記ケーシング内において上下左右の４方向から衝突した後で前記吹き出し口から吹き出されることを特徴とする、請求項１〜４のいずれか１項に記載の室内機。
【請求項６】
請求項１〜５のいずれか１項に記載の室内機を備えた空気調和機。
【発明の詳細な説明】
【技術分野】
【０００１】
本発明は、室内機、特に、通風路が複数設けられた室内機及び空気調和機に関する。
【背景技術】
【０００２】
従来、複数の通風路が設けられた空気調和機が提案されている。例えば、特許文献１はその一例である。
【０００３】
特許文献１の機器は、２個の吹き出し口と、これらの吹き出し口を介して送風する２機の送風機とを備えている。この機器は、一方の吹き出し口からの気流によって、他方の吹き出し口からの気流を押さえ込みつつ下方へと導く。これによって、吹き出し口からの気流を床面へと効率よく到達させる。
【０００４】
【特許文献１】特開平８−１５２１８４号公報（図１）
【発明の開示】
【発明が解決しようとする課題】
【０００５】
特許文献１によると、一方の気流が他方の気流を下方に向かって導くため、比較的幅が狭く流れの整った気流が形成される。このため、かかる気流を冷風や温風として用いる場合、気流と周囲との温度差が大きくなりやすく、風が当たった物体を局所的に冷やし過ぎたり暖め過ぎたりするおそれがある。
【０００６】
本発明の目的は、風を当てた物体が局所的に冷え過ぎたり暖まり過ぎたりしない室内機及び空気調和機を提供することにある。
【課題を解決するための手段】
【０００７】
本発明に係る第１の発明の室内機は、熱交換器及び送風機を収容し且つ吹き出し口を有するケーシングを備え、前記ケーシングの内部には、前記送風機によって形成される気流が通過することで前記吹き出し口に到達する複数の通風路が設けられており、前記複数の通風路をそれぞれ通過した複数の気流は、前記ケーシング内において衝突した後で前記吹き出し口から吹き出される。
【０００８】
この室内機では、外部に比べて圧力の高いケーシング内で気流を衝突させることにより、ランダムな気流からなる風を吹き出すことができる。したがって、周囲の空気と混ざりやすく広がりのある風が形成されるため、気流と周囲との温度差が大きくなりにくく、風を当てた物体を局所的に冷やし過ぎたり暖めすぎたりすることが防止される。また、気流が発生した位置に近いところで衝突するため、空調空間に対してロスが小さくなる。つまり、発生上流であればあるほど、空調したい空間全域に気流を作用させることができる。一方、下流になるにつれて、スポット的な効果となってしまい、空間の空調としてロスが増える。
【０００９】
第２の発明の室内機は、第１の発明に係る室内機であって、前記複数の通風路の少なくとも１つの通風路上に、前記通風路を通過する気流の方向を規制する整流ガイドが配置される。
【００１０】
この室内機では、気流同士が衝突しやすい通風路を形成することができる。
【００１１】
第３の発明の室内機は、第１又は第２の発明に係る室内機であって、前記複数の通風路の少なくとも２つの通風路上に、互いに異なる送風機が配置される。
【００１２】
この室内機では、２つの通風路のそれぞれに送風機が配置されるので、各通風路を通過する気流を確実に形成することができる。
【００１３】
第４の発明の室内機は、第１〜第３の発明のいずれかに係る室内機であって、前記複数の通風路の一部の通風路上だけに前記熱交換器が配置される。
【００１４】
この室内機では、冷却された気流や加熱された気流を、熱交換器を通さない気流と混ぜることで、適度な温度に調整して吹き出すことができる。
【００１５】
第５の発明の室内機は、第１〜第４の発明のいずれかに係る室内機であって、前記ケーシングの内部には、４つの通風路が設けられており、前記４つの通風路をそれぞれ通過した気流は、前記ケーシング内において上下左右の４方向から衝突した後で前記吹き出し口から吹き出される。
【００１６】
この室内機では、気流を４方から衝突させるので、衝突後の気流を安定に形成することができる。
【００１７】
第６の発明の空気調和機は、第１〜第５の発明のいずれかに係る室内機を備えている。
【００１８】
この室内機では、第１〜第５の発明の室内機を備えることにより、幅が狭い流れの整った風と比べて、気流と周囲との温度差が大きくなりにくく、風を当てた物体を局所的に冷やし過ぎることが防止された空気調和機が実現する。
【発明の効果】
【００１９】
以上の説明に述べたように、本発明によれば、以下の効果が得られる。
【００２０】
第１の発明では、外部に比べて圧力の高いケーシング内で気流を衝突させることにより、ランダムな気流からなる風を吹き出すことができる。したがって、幅が狭い流れの整った風と比べて、気流と周囲との温度差が大きくなりにくく、風を当てた物体を局所的に冷やし過ぎることが防止される。また、気流が発生した位置に近いところで衝突するため、空調空間に対してロスが小さくなる。つまり、発生上流であればあるほど、空調したい空間全域に気流を作用させることができる。一方、下流になるにつれて、スポット的な効果となってしまい、空間の空調としてロスが増える。
【００２１】
第２の発明では、気流同士が衝突しやすい通風路を形成することができる。
【００２２】
第３の発明では、２つの通風路のそれぞれに送風機が配置されるので、各通風路を通過する気流を確実に形成することができる。
【００２３】
第４の発明では、冷却された気流や加熱された気流を、熱交換器を通さない気流と混ぜることで、適度な温度に調整して吹き出すことができる。
【００２４】
第５の発明では、気流を４方から衝突させるので、所定の方向に指向する風を安定に形成することができる。
【００２５】
第６の発明では、幅が狭い流れの整った風と比べて、気流と周囲との温度差が大きくなりにくく、風を当てた物体を局所的に冷やし過ぎることが防止された空気調和機が実現する。
【発明を実施するための最良の形態】
【００２６】
以下、本発明に係る空気調和機の実施の形態について、図面を参照しつつ説明する。
【００２７】
（第１の実施の形態）
図１及び図２は、本発明の一実施形態である第１の実施形態に係る空気調和機１の図である。図１は、空気調和機１の一部断面を含む斜視図である。図２は、図１の室内機２のＩＩ−ＩＩ線断面図である。
【００２８】
図１の空気調和機１は、室内の壁などに取り付けられる室内機２と、室外に設置される室外機３とを備えている。室外機３と室内機２との間には、冷媒となる流体の流路が設けられている。
【００２９】
室内機２は、ケーシング２１と、ケーシング２１に収容された熱交換器２２と、送風機２３及び２４とを備えている。ケーシング２１は、室内機２の左右方向に長尺な直方体型の概略形状を有している。図１には、ケーシング２１の左側の構成が実線で示されていると共に、右側の構成が破線で示されている。ケーシング２１の内部には、直方体型の概略形状を有する空間が形成されている。熱交換器２２、送風機２３及び２４は、ケーシング２１のかかる内部空間に収容されている。
【００３０】
ケーシング２１の上面には、ケーシング２１の外部空間と内部空間とを連通させる複数の空気の取り入れ口２１ａが形成されている。ケーシング２１の内部空間には、取り入れ口２１ａを通じて外部から空気が取り入れられる。ケーシング２１の前面には、ケーシング２１の外部空間と内部空間とを連通させる空気の吹き出し口２１ｂが形成されている。吹き出し口２１ｂは、ケーシング２１の前面より一回り小さい長方形の概略形状を有している。
【００３１】
送風機２３は、図１に示すように、ケーシング２１内において左右方向に沿って配置されている。また、送風機２３は、図２に示すように、ケーシング２１の中央付近に配置されている。送風機２３は、取り入れ口２１ａを介してケーシング２１内に空気を取り込むと共に、取り込んだ空気をケーシング２１の下部に向かわせるような気流を発生させる。
【００３２】
熱交換器２２は、ケーシング２１内において、取り入れ口２１ａの下方に配置されている。熱交換器２２は、図１に示すように左右方向に沿って配置されている。熱交換器２２の上部は、図２に示すように、取り入れ口２１ａと送風機２３の間に配置されている。これによって、取り入れ口２１ａから取り込まれた空気が熱交換器２２を通って送風機２３へと向かうようになっている。また、熱交換器２２の前部は、吹き出し口２１ｂと対向するように上下方向に延びている。
【００３３】
ケーシング２１内には、室外機３からの冷媒を熱交換器２２に供給する図示しない配管が導入されている。この熱交換器２２は、冷房運転時には冷媒の蒸発器として機能し、暖房運転時には冷媒の凝縮器として機能する。具体的には、冷房運転時には、当該熱交換器２２には室外機３から低温且つ低圧の液体状の冷媒が供給され、その冷媒は熱交換器２２において蒸発する。これによって、熱交換器２２の周囲の空気が冷却される。また、暖房運転時には、当該熱交換器２２には室外機３から高温且つ高圧の気体上の冷媒が供給され、その冷媒は熱交換器２２において凝縮する。これによって、熱交換器２２の周囲の空気が加熱される。また、ケーシング２１内には、熱交換器２２からの冷媒を室外機３へと回収する図示しない配管が導入されており、熱交換器２２において蒸発又は凝縮した冷媒は室外機３へと回収される。
【００３４】
ケーシング２１内において、熱交換器２２と吹き出し口２１ｂとの間には、遮蔽板２５が設けられている。遮蔽板２５は、図１に示すように、ケーシング２１の左右方向に沿って延びている。遮蔽板２５の熱交換器２２の上部と後述する送風機２４との間に配置される上部は、図２に示すように、取り入れ口２１ａから吹き出し口２１ｂに向かって、熱交換器２２の上部に沿って斜めに延びている。また、遮蔽板２５の熱交換器２２の下部と吹き出し口２１ｂとの間に配置される下部は、熱交換器２２の下部に沿って上下方向に延びている。遮蔽板２５の下端は、後述の整流ガイド２７が配置された位置付近に配置されている。
【００３５】
送風機２４は、図１に示すように、ケーシング２１の左右方向に沿って配置されている。また、送風機２４は、図２に示すように、遮蔽板２５の上部とケーシング２１の前壁との間に配置されている。送風機２３は、取り入れ口２１ａを介してケーシング２１内に空気を取り込むと共に、取り込んだ空気をケーシング２１の下部に向かわせるような気流を発生させる。
【００３６】
ケーシング２１には、内部空間に形成される気流の方向を規制する整流ガイド２６及び２７が設けられている。整流ガイド２６は、ケーシング２１の前壁と上壁との間に形成された角部に設けられ、整流ガイド２７は、ケーシング２１の前壁と下壁との間に形成された角部に設けられている。整流ガイド２６及び２７は、図１に示すように、いずれもケーシング２１の左右方向に沿って延びている。また、整流ガイド２６及び２７は、図２に示すように、いずれも直角三角形の断面形状を有している。そして、整流ガイド２６及び２７において直角三角形の斜辺に相当する面２６ａ及び２７ａは、それぞれ、ケーシング２１の吹き出し口２１ｂに向かって斜め下方及び斜め上方に傾斜している。なお、面２６ａ及び２７ａは、それぞれ、曲面であってもよい。
【００３７】
次に、室内機２が発生させる気流について説明する。図２には、ケーシング２１の内部で発生する気流の一例である気流Ａと気流Ｂとが、矢印付きの実線で示されている。送風機２３が作動すると、図２の気流Ａに示すように、ケーシング２１の上壁の取り入れ口２１ａを通じて空気がケーシング２１内に流入する。かかる空気は、熱交換器２２を通って送風機２３に到達する。送風機２３に到達した空気は、さらにケーシング２１内の下部へと向かい、遮蔽板２５の下方を通って前方の整流ガイド２７へと到達する。整流ガイド２７には、上記の通り斜め上方に傾斜した面２７ａが形成されている。このため、整流ガイド２７に到達した空気は、整流ガイド２７の面２７ａによって流れを規制されつつ円滑に上方へと向かう。
【００３８】
一方、送風機２４が作動すると、図２の気流Ｂに示すように、ケーシング２１に形成された取り入れ口２１ａのうち、前方寄りの取り入れ口２１ａを通じて空気がケーシング２１内に流入する。かかる空気は、ケーシング２１の前壁と上壁との間の角部付近を、ケーシング２１内の下方へと向かう。ここで、ケーシング２１の前壁と上壁との間の角部には、整流ガイド２６が配置されている。そして、整流ガイド２６には、上記の通り斜め下方に傾斜した面２６ａが形成されている。また、送風機２４と熱交換器２２との間には遮蔽板２５が配置されており、これによって、送風機２４へと流入した空気が熱交換器２２を介して送風機２４より送風力の大きい送風機２３へと引き込まれるのが防止されている。したがって、送風機２４によってケーシング２１内に流入した空気は、整流ガイド２６の面２６ａによって流れを規制されつつ円滑に下方へと向かう。
【００３９】
このように、ケーシング２１内には、（１）上記した気流Ａが通過する通風路であって、取り入れ口２１ａからの空気が、遮蔽板２５より後方において熱交換器２２を通過し、遮蔽板２５の下方を通って遮蔽板２５の前方へと回りこむ通風路と、（２）上記した気流Ｂが通過する通風路であって、取り入れ口２１ａからの空気が、遮蔽板２５より前方において下方へと向かう通風路とが設けられることになる。これらの通風路は、遮蔽板２５によって互いに隔てられており、整流ガイド２６及び２７によって空気の流れが規制されている。
【００４０】
そして、気流Ａと気流Ｂとは、吹き出し口２１ｂと遮蔽板２５との間の領域Ｓ１において、上下方向から互いに衝突する。衝突した空気は、この領域Ｓ１の開放側、つまり吹き出し口２１ｂが形成された方に向かい、吹き出し口２１ｂを通じてケーシング２１の外部へと吹き出される。これによって、吹き出し口２１ｂから室内機２の前方へと向かう風Ｃが形成される。
【００４１】
このように形成される風Ｃには、以下のような特徴がある。上記のように、気流Ａ及びＢは、ケーシング２１の外部空間と比べて圧力の高いケーシング２１の内部空間において互いに衝突する。かかる衝突によって、吹き出し口２１ｂから吹き出された空気中には、向きや強さが一様でない気流が含まれる。図２の領域Ｓ２には、かかる気流の一例が矢印付きの実線で示されている。風Ｃは、このような向きや強さが一様でない気流から構成されることにより、周囲の空気と混ざりやすく、幅の広いものとなる。
【００４２】
［本実施形態の室内機２の特徴］
以上説明したように、本実施形態の室内機２によると、ケーシング２１内に２つの通風路が設けられ、これらの通風路を通った気流同士がケーシング２１内で衝突する。これによって、ランダムな気流からなる風が吹き出し口２１ｂから吹き出される。この風は、周囲の空気と混ざりやすく、幅の広いものである。一方で、室内機内で気流同士が衝突せず、整流された気流が吹き出される場合には、幅が狭く流れの整った主流が形成されやすい。かかる主流は周囲の空気と混ざりにくいため、気流と周囲との温度差が大きくなる。したがって、かかる風を人に当てると、局所的に冷え過ぎる不快な感覚を与えるおそれがある。
【００４３】
これに対して、室内機２による風は、上記のような主流が形成されにくく、周囲の空気と混ざりやすいものであるため、周囲の空気との温度差が大きくなりにくい。また、幅の広い風であるため、広い範囲に風を当てることができる。したがって、物体に当てても局所的に冷やし過ぎたりしなくなり、人に当てた場合にも冷え過ぎる感覚を与えにくくなる。さらに、周囲の空気と混ざりやすい気流を形成するので、室内機２が設置された空間の空調効果を向上させ、エネルギーの消費を抑えることができる。
【００４４】
また、２つの通風路の一方（気流Ａにかかる通風路）には熱交換器２２が配置されているのに対して、他方（気流Ｂにかかる通風路）には熱交換器が配置されていない。これによって、熱交換器２２を通過して冷却された気流と、熱交換器２２を通過せず外部の気温のままの気流とが、互いに衝突され、吹き出し口２１ｂから吹き出されることとなる。これによって、熱交換器２２で冷やされ過ぎた気流を適度な温度にして吹き出し口２１ｂから吹き出させることができる。
【００４５】
また、整流ガイド２６及び２７により、２つの気流を互いに衝突させやすいような通風路を形成することができる。
【００４６】
なお、本実施形態とは異なり、ケーシング２１の外部で２つの気流を衝突させることも考えられる。しかし、この場合には、衝突の際の圧力が衝突位置の周囲へと逃げやすく、衝突後にランダムな風を発生させにくい。これに対して本実施形態は、２つの気流を圧力の高いケーシング２１内で衝突させるため、上記のような風を発生させやすくなっている。
【００４７】
（第２の実施形態）
図３〜図５は、本発明の別の実施形態である第２の実施形態に係る室内機２０２の図である。室内機２０２は、第１の実施形態の室内機２の代わりに採用できるものである。図３は、室内機２０２の斜視図である。図４は、図３のガイドユニット２３０の背面側の斜視図である。図５は、図３の室内機２のＶ−Ｖ線断面図である。
【００４８】
室内機２０２は、熱交換器２２及び送風機２４を有する本体２１０と、本体２１０の前面に配置されたガイドユニット２３０とを有している。図３、図５に示すように、本体２１０は、ケーシング２２１を有しており、熱交換器２２及び送風機２４はケーシング２２１内に収容されている。ケーシング２２１は、直方体型の概略形状を有しており、上面に複数の空気の取り入れ口２２１ａが形成されている。ケーシング２２１は、図５に示すように、前方に向かって開口している。なお、熱交換器２２及び送風機２４については、第１の実施形態と同様の構成であるため、説明を省略する。
【００４９】
ガイドユニット２３０は、図３〜図５に示すように、直方体型の概略形状を有するケーシング２３１を有しており、ケーシング２３１の背面は本体２１０の前面に固定されている。ケーシング２３１には四角錐型の内部空間が形成されている。
【００５０】
ケーシング２３１の前面には、図３、図５に示すように、ケーシング２３１の内部空間とケーシング２３１の前方の外部空間とを連通させる空気の吹き出し口２３１ａが形成されている。吹き出し口２３１ａは、ケーシング２３１の前面より一回り小さい長方形の形状を有している。ケーシング２３１の背面には、図４、図５に示すように、通風口２３１ｂが形成されている。通風口２３１ｂは、ケーシング２３１の下部に形成されており、ケーシング２３１の左右方向に沿って延びている。通風口２３１ｂは、図５に示すように、本体２１０の内部空間と連通しており、送風機２４によって本体２１０内に形成された気流をガイドユニット２３０内に導入する導入口となっている。
【００５１】
ケーシング２３１内には、分配ガイド２３２が収容されている。分配ガイド２３２は、四角錐型の概略形状を有しており、この四角錘の底面２３２ａが前方に面するように配置されている。底面２３２ａは、吹き出し口２３１ａより若干大きい長方形の形状を有しており、正面視すると、底面２３２ａの４辺が吹き出し口２３１ａの４辺を囲むように配置されている。
【００５２】
分配ガイド２３２の頂点２３２ｆは、図５に示すように、通風口２３１ｂに対応する位置に配置されている。また、この頂点２３２ｆは、ガイドユニット２３０の左右方向に関してほぼ中央に配置されており、底面２３２ａの下端より上側に配置されている。
【００５３】
分配ガイド２３２は、頂点２３２ｆから底面２３２ａの４辺に向かって延びる側面２３２ｂ〜２３２ｅを有している。側面２３２ｅは、図５に示すように、頂点２３２ｆからケーシング２３１内の床面に沿って、底面２３２ａの４辺のうち正面視で下側の辺に向かって延びている。側面２３２ｂ（図４参照）は、頂点２３２ｆから、底面２３２ａの４辺のうち正面視で右側の辺に向かって延びている。側面２３２ｃは、頂点２３２ｆから、底面２３２ａの４辺のうち正面視で上側の辺に向かって延びている。側面２３２ｄ（図４参照）は、頂点２３２ｆから、底面２３２ａの４辺のうち正面視で左側の辺に向かって延びている。
【００５４】
分配ガイド２３２は、図示しない仕切部を介してケーシング２３１内の４つの角に固定されている。仕切部は、分配ガイド２３２の４つの角に設置されており、分配ガイド２３２からケーシング２３１の角部に向かって延びている。
【００５５】
ケーシング２３１内には、気流の方向を規制する整流ガイド２２６及び２２７が設けられている。整流ガイド２２６は、ケーシング２３１の前壁と上壁との間に形成された角部に設けられ、整流ガイド２２７は、ケーシング２３１の前壁と下壁との間に形成された角部に設けられている。整流ガイド２２６及び２２７は、第１の実施形態の整流ガイド２６及び２７と同様に、直角三角形の断面形状を有している。そして、その斜辺に相当する面がケーシング２３１内に向かって斜め下方及び上方にそれぞれ面するように配置されている。
【００５６】
次に、室内機２０２が発生させる気流について、図４、図５を参照しつつ説明する。図４、図５において、矢印付き実線Ｄ〜Ｉは、室内機２内で発生する気流の一例を示している。送風機２４が作動すると、取り入れ口２２１ａから熱交換器２２を通過して通風口２３１ｂに向かう気流Ｄが発生する。通風口２３１ｂからケーシング２３１に流入した気流Ｄは、分配ガイド２３２によって、側面２３２ｂ〜２３２ｅのそれぞれに沿った気流Ｅ〜Ｈに分配される。このように分配された気流Ｅ〜Ｈは、分配ガイド２３２の底面２３２ａの４辺に到達すると、分配ガイド２３２の前方へと回りこむ。
【００５７】
例えば、図５に示すように、側面２３２ｃに沿った気流Ｆは、底面２３２ａの上端に到達すると、整流ガイド２２６によって流れの方向を規制され、底面２３２ａに沿って下方に向かう気流Ｉとなる。一方、側面２３２ｅに沿った気流Ｈは、底面２３２ａの下端に到達すると、整流ガイド２２７によって流れの方向を規制され、底面２３２ａに沿って上方に向かう。同様に、側面２３２ｂや側面２３２ｄに沿った気流も形成される。これらの気流は、分配ガイド２３２の前方へと回り込む。
【００５８】
このように、ケーシング２３１内には、分配ガイド２３２が気流を分配することによって４つの通風路が形成される。４つの通風路に沿った気流は、分配ガイド２３２の前方に回りこむ。４つの気流は、上下左右の４方向から、分配ガイド２３２と吹き出し口２３１ａとの間の領域Ｓ３（図５参照）に向かい、領域Ｓ３において互いに衝突する。衝突した空気は、吹き出し口２３１ａを通じてケーシング２３１の外部へと吹き出される。これによって、吹き出し口２３１ａから室内機２０２の前方へと向かう風Ｊが形成される。
【００５９】
以上説明したように、第２の実施形態の室内機２０２によると、ケーシング２３１内に４つの通風路が設けられ、これらの通風路を通った気流同士がケーシング２３１内で４方向から衝突する。これによって、ランダムな気流からなる風が吹き出し口２３１ａから吹き出される。したがって、室内機２０２による風は、第１の実施形態と同様に、周囲の空気と混ざりやすいものとなるため、周囲の空気との温度差が大きくなりにくい。また、幅の広い風であるため、広い範囲に風を当てることができる。
【００６０】
さらに、第２の実施形態においては、上下方向から気流を衝突させるだけでなく、左右方向も加えた４方向から気流を衝突させる。したがって、上下方向だけから気流を衝突させる場合と比べて、全体として吹き出し口２３１ａから前方に指向する風を、安定に形成することができる。
【００６１】
（第３の実施形態）
図６は、本発明のさらに別の実施形態である第３の実施形態に係る室内機３０２の図である。室内機３０２は、第２の実施形態と同様、気流を分配する分配ガイドが設けられたものである。一方、室内機３０２は、ケーシングに形成された取り入れ口を通じて空気を取り入れる第１及び第２の実施形態と異なり、ダクトを通じて空気を取り入れるタイプの室内機である。
【００６２】
室内機３０２は、本体３１０と、本体３１０の前方に配置されたガイドユニット３３０とを有している。本体３１０はケーシング３２１を有している。ケーシング３２１の背面には、通風口３２１ａが形成されている。通風口３２１ａには、後方からダクト３９９が接続されている。ケーシング３２１内には、ダクト３９９を通じて空気が取り入れられる。ケーシング３２１は前方に向かって開口している。
【００６３】
ケーシング３２１内には、送風機３２４及び熱交換器３２２が収容されている。熱交換器３２２は、ケーシング３２１において前方に開口した開口部に配置されている。送風機３２４は、熱交換器３２２の後方において、上下方向に関してほぼケーシング３２１の中心に配置されている。送風機３２４は、通風口３２１ａを通じてダクト３９９から空気を流入させ、その空気を熱交換器３２２へと向かわせる。
【００６４】
ガイドユニット３３０はケーシング３３１を有している。ケーシング３３１の背面には通風口３３１ｂが形成されている。通風口３３１ｂは、本体３１０内と連通しており、熱交換器３２２を通過した空気が通風口３３１ｂを通じてケーシング３３１内へと流入するようになっている。また、ケーシング３３１の前面には吹き出し口３３１ａが形成されている。
【００６５】
ケーシング３３１内には分配ガイド３３２が設けられている。分配ガイド３３２は、第２の実施形態の分配ガイド２３２と同様、底面が前方に面した四角錐型の形状を有している。また、その底面は、正面視において左右方向に長尺な長方形の形状を有している。本実施形態においては、分配ガイド３３２の頂点は上下方向に関してケーシング３３１のほぼ中央に配置されている。そして、その頂点から底面の４辺に向かって延びる４つの側面が形成されている。
【００６６】
ケーシング３３１内には、第２の実施形態と同様の整流ガイド２２６及び２２７が設けられている。これらの構成及び配置は第２の実施形態と同様なので、説明を省略する。
【００６７】
次に、室内機３０２が発生させる気流について説明する。送風機３２４が作動すると、ダクト３９９から空気が流入し、熱交換器３２２を通過する。そして、かかる気流が分配ガイド３３２に到達すると、４つの側面に沿って分配ガイド３３２の底面の４辺へと向かう４つの気流に分配される。
【００６８】
例えば、図６に示すように、分配ガイド３３２の頂点より上方に形成された気流Ｋは、分配ガイド３３２において斜め上方に面した側面に沿って分配ガイド３３２の底面へと向かう。そして、分配ガイド３３２より前方に到達すると、整流ガイド２２６に流れを規制され、分配ガイド３３２の前方に回り込んで下方に向かう。一方、分配ガイド３３２の頂点より下方に形成された気流Ｌは、分配ガイド３３２において斜め下方に面した側面に沿って分配ガイド３３２の底面へと向かう。そして、分配ガイド３３２より前方に到達すると、整流ガイド２２６に流れを規制され、分配ガイド３３２の前方に回り込んで上方に向かう。同様に、他の２つの側面に沿った気流も形成される。これらの気流は、分配ガイド３３２の前方へと回り込む。
【００６９】
このように、ケーシング３３１内には、第２の実施形態と同様に、４つの通風路が形成されている。４つの通風路に沿った気流は、分配ガイド３３２の前方に回りこむ。４つの気流は、上下左右の４方向から、分配ガイド３３２と吹き出し口３３１ａとの間の領域Ｓ４に向かい、この領域Ｓ４において互いに衝突する。衝突した空気は、吹き出し口３３１ａを通じてケーシング３３１の外部へと吹き出される。これによって、吹き出し口３３１ａから室内機３０２の前方へと向かう風Ｍが形成される。
【００７０】
以上説明したように、第３の実施形態の室内機３０２によると、第１及び第２の実施形態と同様、ランダムな気流からなる風が吹き出し口３３１ａから吹き出される。また、第２の実施形態と同様、上下左右の４方向から気流を衝突させるので、全体として吹き出し口３３１ａから前方に指向する風を、安定に形成することができる。
【００７１】
＜変形例＞
以上は、本発明の好適な実施形態についての説明であるが、本発明は上述の実施形態に限られるものではなく、課題を解決するための手段に記載された範囲の限りにおいて様々な変更が可能なものである。
【００７２】
例えば、上述の実施形態では、ケーシングの上壁又は下壁と前壁との間に形成された角部に整流ガイドが設けられている。しかし、第２又は第３の実施形態のように、上下左右の４方向から衝突する気流を形成する場合、前壁と側壁との間に形成された角部に整流ガイドが配置されてもよい。また、整流ガイドを設けなくても、ケーシングの形状により気流を所定の方向に指向することができれば、整流ガイドを必ずしも設ける必要はない。
【００７３】
また、上述の第２及び第３の実施形態では、１つの送風機のみが設けられているが、複数の送風機が設けられてもよい。例えば、第２の実施形態において、気流Ｆを安定に形成するため、分配ガイド２３２の側面２３２ｃの近傍に側面２３２ｃに沿った気流を形成する送風機を設けてもよい。
【００７４】
また、上述の第２及び第３の実施形態では、本体側からガイドユニットに流入した気流を分配して衝突させている。しかし、ガイドユニットに空気の取り入れ口を設け、かかる取り入れ口から取り入れた空気による気流と分配した気流とを衝突させてもよい。これによると、第１の実施形態と同様、適度な温度の気流を吹き出すことができる。
【００７５】
また、上述の実施形態では冷風を形成する場合を想定しているが、温風を形成する場合に本発明を適用してもよい。
【産業上の利用可能性】
【００７６】
本発明を利用すれば、風を当てた物体を局所的に冷やし過ぎたり暖めすぎたりすることが防止される。
【図面の簡単な説明】
【００７７】
【図１】本発明の一実施形態である第１の実施形態の室内機の一部断面を含む斜視図である。
【図２】図１の室内機のＩＩ−ＩＩ線断面図である。
【図３】第１の実施形態とは別の実施形態である第２の実施形態の室内機の斜視図である。
【図４】図３のガイドユニットの背面側の斜視図である。
【図５】図３の室内機のＶ−Ｖ線断面図である。
【図６】第１及び第２の実施形態とは別の実施形態である第３の実施形態の室内機の断面図である。
【符号の説明】
【００７８】
１        空気調和機
２        室内機
２１      ケーシング
２２      熱交換器
２３      送風機
２４      送風機
２６      整流ガイド
２７      整流ガイド
２０２    室内機
２２１    ケーシング
２２６    整流ガイド
２２７    整流ガイド
２３１    ケーシング
２３２    分配ガイド
３０２    室内機
３２１    ケーシング
３２２    熱交換器
３２４    送風機
３３１    ケーシング
３３２    分配ガイド
【図１】
2009270801.tif 000003
【図２】
2009270801.tif 000004
【図３】
2009270801.tif 000005
【図４】
2009270801.tif 000006
【図５】
2009270801.tif 000007
【図６】
2009270801.tif 000008